(57)【要約】【課題】本発明は、容易にロック及びロック解除することができる電子装置を提供することを目的とする。【解決手段】本発明に係る電子装置は、ベース及びベースに移動可能に装着される回転部を備える。ベースの操作面には電磁ロックであるロック装置が設置され、ロック装置に電気が流れると、ロック装置には磁力が発生し、回転部を操作面に吸着させ、ベースの側面にはユーザの動作を感知できるセンサ区域が設置され、予め設定された動作が感知されると、ロック装置は磁力を失い、回転部に対する吸着を解除する。【選択図】図１
2014154148.tif 000002
【特許請求の範囲】
【請求項１】
ベース及びベースに回転可能に装着される回転部を備えてなる電子装置であって、
前記ベースの操作面には電磁ロックであるロック装置が設置され、前記ロック装置に電気が流れると、前記ロック装置には磁力が発生し、前記回転部の吸着部を前記操作面に吸着させ、前記ベースの側面にはユーザの動作を感知できるセンサ区域が設置され、予め設定された動作が感知されると、前記ロック装置は磁力を失い、前記回転部の吸着部に対する吸着を解除することを特徴とする電子装置。
【請求項２】
前記動作は、指が右から左へと又は左から右へと前記センサ区域に沿ってスライドされることを特徴とする請求項１に記載の電子装置。
【請求項３】
前記動作は、両指が互いに離れる方向に前記センサ区域に沿ってスライドされることを特徴とする請求項１に記載の電子装置。
【請求項４】
前記動作は、両指が互い向けて前記センサ区域に沿ってスライドされることを特徴とする請求項１に記載の電子装置。
【請求項５】
前記センサ区域は、カーボンナノチューブ材料によって、前記側面を覆うことによって形成されることを特徴とする請求項１から４の何れか一項に記載の電子装置。
【請求項６】
ベース及びベースに移動可能に装着される回転部を備えてなる電子装置であって、
前記ベースの側面にはユーザの動作を感知できるセンサ区域が設置され、予め設定された動作が感知されると、前記電子装置はロック解除されることを特徴とする電子装置。
【請求項７】
前記ベースの上面には前記回転部を前記ベースにロックさせるロック装置が設置されるとともに、回転部にはロック装置に吸着される吸着部が設けられていることを特徴とする請求項６に記載の電子装置。
【請求項８】
ベース及び前記ベースに移動可能に装着される回転部を備える電子装置のロック解除方法であって、
前記ベースの側面に設置されるセンサ区域がユーザの動作を感知するステップと、
前記センサ区域が、前記動作が予め設定された動作と一致するかどうかを判断するステップと、
前記動作が予め設定された動作と一致した場合、電子装置をロック解除するステップと、
を備えることを特徴とする電子装置のロック解除方法。
【発明の詳細な説明】
【技術分野】
【０００１】
本発明は、ロック機能を有する電子装置に関するものである。
【背景技術】
【０００２】
従来の技術において、ノートパソコンなどの電子装置の上カバー及びベースには、固定孔及びフック部品がそれぞれ設けられ、フック部が固定孔に係合されることによって上カバーをベースにロックすることができる。ノートパソコンを使用する際は、フック部に連接する操作部を操作してフック部を固定孔から退出させることによって、上カバーを回転させて使用する。しかし、固定孔及びフック部品を設けると、電子装置の美観に悪影響を及ぼしてしまう。また、電子装置をロック解除するには、操作部に大きな外力を加える必要があるため、不便である。
【発明の概要】
【発明が解決しようとする課題】
【０００３】
本発明の目的は、前記問題を解決し、容易にロック及びロック解除することができる電子装置を提供することである。
【課題を解決するための手段】
【０００４】
上記目的を達成するために、本発明に係る電子装置は、ベース及びベースに移動可能に装着される回転部を備える。前記ベースの操作面には電磁ロックであるロック装置が設置され、前記ロック装置に電気が流れると、前記ロック装置には磁力が発生し、前記回転部を前記操作面に吸着させ、前記ベースの側面にはユーザの動作を感知できるセンサ区域が設置され、予め設定された動作が感知されると、前記ロック装置は磁力を失い、前記回転部に対する吸着を解除する。
【発明の効果】
【０００５】
本発明に係る電子装置は、電磁ロックを使用して電子装置をロックし、センサ区域を操作すると、電子装置をロック解除できるので、容易に電子装置をロック及びロック解除することができる。
【図面の簡単な説明】
【０００６】
【図１】本発明の実施形態に係る電子装置の斜視図である。
【図２】図１に示す電子装置がロックされる状態を示す図である。
【図３】図１に示す電子装置が第一操作動作によってロック解除される過程を示す図である。
【図４】図１に示す電子装が第二操作動作によってロック解除される過程を示す図である。
【図５】図１に示す電子装置が第三操作動作によってロック解除される過程を示す図である。
【図６】図１に示す電子装置が第四操作動作によってロック解除される過程を示す図である。
【図７】図１に示す電子装置のロック解除方法のフローチャートである。
【発明を実施するための形態】
【０００７】
図１及び図２に示したように、本発明の実施形態に係る電子装置１０は、回転部２０及びベース３０を備える。前記回転部２０は、ベース３０に回転可能に装着される。
【０００８】
ベース３０内には、マザーボード、ＣＰＵ、記憶装置（ＲＡＭ、ＲＯＭ）、拡張ボードなどの電子部品が設置される。
【０００９】
本実施形態において、電子装置１０はノートパソコンであり、ベース３０の操作面３２（回転部２０に対向する面）にはキーボード（図示せず）が設置され、回転部２０のベース３０に対向する面にはディスプレイ部（図示せず）が設置されている。他の実施形態において、電子装置１０は、他の電子製品であることも可能であり、ベース３０の操作面３２にはタッチパネルやディスプレイ部などが設置されても良い。回転部２０は、単なる保護カバーであっても良い。
【００１０】
ベース３０の操作面３２の側辺に隣接する箇所には、ロック装置３４が設置されている。ロック装置３４は、電子装置がオフになる時、即ち回転部２０がベース３０を覆う時に回転部２０をベース３０にロックする。本実施形態において、ロック装置３４は電磁ロックである。回転部２０のベース３０に対向する面には、磁力を有する電磁ロックに吸着されることが可能な吸着部が設置されている。電磁ロックに電気が流れると、電磁ロックには磁力が発生し、電磁ロックと吸着部とが吸着して回転部２０をベース３０の操作面３２に吸着させる。
【００１１】
ベース３０の側面３６には、指の動作を感知するセンサ区域３８が設置されている。本実施形態において、センサ区域３６は側面３６とほぼ同じ大きさを有する。センサ区域３８をカーボンナノチューブ材料によって、側面３６を覆うように形成すれば、センサ区域３８の厚さを薄くできる。
【００１２】
回転部２０がベース３０にロックされている状態で、予め設定された動作によってセンサ区域３８を操作すると、ロック装置３４に流れる電気が止められる。この時、ロック装置３４は磁力を消失し、回転部２０に対する磁気力による吸着も解除されるので、回転部２０を回転して回転部２０を開くことができる。
【００１３】
図３に示したのは予め設定された指の動作の１つであり、指を図面上での右から左へとセンサ区域３８に沿ってスライドさせる。指を図面上での右から左へとセンサ区域３８に沿ってスライドさせると、電子装置１０のロック状態を解除できる。
【００１４】
図４に示したように、他の実施形態において、指を図面上での左から右へとセンサ区域３８に沿ってスライドさせると電子装置１０をロック解除できると予め設定しても良い。
【００１５】
図５に示したように、他の実施形態において、両指が互いに離れるように（即ちセンサ区域３８の両端へそれぞれ向かうように）センサ区域３８に沿ってスライドさせると電子装置１０をロック解除できると予め設定しても良い。
【００１６】
図６に示したように、他の実施形態において、両指が互いに向けて（即ちセンサ区域３８の中央部へ共に向かうように）センサ区域３８に沿ってスライドさせると電子装置１０をロック解除できると予め設定しても良い。
【００１７】
図７に示したのは電子装置１０のロック解除方法のフローチャートであり、電子装置１０のロック解除方法は以下のステップを含む。
【００１８】
ステップ７０１において、センサ区域３８は、ユーザの操作動作を感知する。
【００１９】
ステップ７０２において、センサ区域３８に加えられた前記操作動作が予め設定された動作と一致するかどうかを判断し、一致した場合、ステップ７０３に進み、一致しない場合、ステップ７０４に進む。
【００２０】
ステップ７０３において、ロック装置３４に対する通電を停止してロック装置の磁力を消失させ、回転部２０に対する吸着を解除し、回転部は回転できるようになる。
【００２１】
ステップ７０４において、ロック装置３４に対する通電は継続し、磁力を引き続き保有し、回転部２０をベース３０の操作面３２に吸着させ、電子装置１０を引き続きロックさせる。
【符号の説明】
【００２２】
１０  電子装置
２０  回転部
３０  ベース
３２  操作面
３４  ロック装置
３６  側面
３８  センサ区域
【図１】
2014154148.tif 000003
【図２】
2014154148.tif 000004
【図３】
2014154148.tif 000005
【図４】
2014154148.tif 000006
【図５】
2014154148.tif 000007
【図６】
2014154148.tif 000008
【図７】
2014154148.tif 000009